(57)【要約】【課題】  複数の機能をホスト側に付加するマルチファンクションとすることができるとともに、きわめて利便性の高い機能拡張電子装置の提供。【解決手段】  ＰＣカード１は、本体内に固定されたファンクションモジュールであるワイヤレスＬＡＮモジュール１０と、外部のファンクションモジュールであるＳＤ／ＳＤＩＯカード１００を装着可能なＳＤＩ／Ｏカードスロット５０とを有しており、一側が固定であるため常時その機能をホスト側に付加することができ、また他側が差換え可能であるため差換えることにより多様な機能をホスト側に付加することができる。【選択図】      図１
2004265377.tif 000002
【特許請求の範囲】
【請求項１】
所定のインターフェース規格に基づいて情報機器類に所定の機能を付加する機能拡張電子装置であって、
情報機器類に所定の機能を付加すべく本体に内蔵して構成された少なくとも一つのファンクションモジュールと、
所定のカード規格に基づく外部の機能拡張カードを装着可能なカードスロットと、
前記カードスロットに装着された機能拡張カードを制御するカード制御手段と、
前記ファンクションモジュール及び前記カードスロットに装着された機能拡張カードを、統括的に監視、制御するファンクションコントローラーと、
所定のデータ転送方式のシステムインターフェースに基づいて前記情報機器類とのデータ通信を制御するインターフェースコントローラーと
を有することを特徴とする機能拡張電子装置。
【請求項２】
前記カードスロットに装着された機能拡張カードのファンクション種別を検出するカード種別検出手段を有しており、
該カード検出手段による検出結果に基づいて制御機能を切替えることにより、前記カードスロットに複数の異なるファンクションの機能拡張カードの装着を可能になしたことを特徴とする請求項１に記載の機能拡張電子装置。
【請求項３】
外形形状がＰＣＭＣＩＡカード規格に準拠して形成されており、ＰＣＭＣＩＡカードスロットに装着可能であることを特徴とする請求項１又は２に記載の機能拡張電子装置。
【請求項４】
外形形状がＣＦカード規格に準拠して形成されており、ＣＦカードスロットに装着可能であることを特徴とする請求項１又は２に記載の機能拡張電子装置。
【請求項５】
前記機能拡張カードのカード規格が、ＳＤ又はＳＤＩ／Ｏカード規格、ＣＦ又はＣＦＩ／Ｏカード規格、メモリスティック又はメモリスティックＩ／Ｏカード規格のうち何れかであることを特徴とする請求項１又は２又は３又は４に記載の機能拡張電子装置。
【請求項６】
前記ファンクションモジュールが、無線ＬＡＮモジュール、ＧＰＳモジュール、ＰＨＳモジュール、Ｂｌｕｅｔｏｏｔｈモジュール、カメラモジュール、メモリーモジュールの何れかであることを特徴とする請求項１又は２又は３又は４又は５に記載の機能拡張電子装置。
【請求項７】
外形形状がＰＣＭＣＩＡカード規格又はＣＦカード規格に準拠して形成されるとともに前記ファンクションモジュールが通信機能である場合に、前記カードスロットへの機能拡張カードの装着時において、前記通信機能のアンテナモジュールの突出部分と前記機能拡張カードの突出部分が、本機能拡張電子装置の一面部から同一方向へ並行に突出するようになしたことを特徴とする請求項１又は２又は３又は４又は５又は６に記載の機能拡張電子装置。
【請求項８】
前記機能拡張カードが、無線ＬＡＮカード、ＧＰＳカード、ＰＨＳカード、Ｂｌｕｅｔｏｏｔｈカード、カメラカード、メモリーカードの何れかであることを特徴とする請求項１又は２又は３又は４又は５又は６又は７に記載の機能拡張電子装置。
【請求項９】
前記ファンクションモジュールと前記機能拡張カードの信号がシリアルパケットに変換されて統括的に監視、制御されることを特徴とする請求項１又は２又は３又は４又は５又は６又は７又は８に記載の機能拡張電子装置。
【請求項１０】
前記シリアルパケットが、シリアルＡＴＡＰＩ規格、ＵＳＢ規格、及びＩＥＥＥ１３９４規格のうち何れかの規格に準拠することを特徴とする請求項９に記載の機能拡張電子装置。
【請求項１１】
所定のカード規格に基づいて情報機器類に所定の機能を付加する機能拡張電子装置であって、
情報機器類に所定の機能を付加すべく構成された複数のファンクションモジュールと、
前記ファンクションモジュールのデータをＵＳＢ規格に準拠したシリアルパケットに変換して統括的に監視、制御するホストコントローラーと、
所定のデータ転送方式のシステムインターフェースに基づいて前記情報機器類とのデータ通信を制御するインターフェースコントローラーと
を有することを特徴とする機能拡張電子装置。
【発明の詳細な説明】
【発明の詳細な説明】
【技術分野】
【０００１】  本発明は、機能拡張電子装置に係り、特にホスト機器のカードスロットなどに装着されて当該ホスト機器の機能を拡張する機能拡張電子装置に関する。
【背景技術】
【０００２】  近年、パーソナルコンピュータやＰＤＡ、或いはデジタルカメラ等の情報機器に所定の機能を付加すべくカードタイプの機能拡張電子装置が付加されている。具体的には、無線ＬＡＮカード、ＧＰＳカード、ＰＨＳカード、Ｂｌｕｅｔｏｏｔｈカード、カメラカード、メモリーカードなどである。【０００３】  また、これらの機能拡張電子装置にはＰＣＭＣＩＡ、スマートメディア、ＣＦ、ＣＦ＋、ＳＤ、ＳＤＩ／Ｏなど多様な規格がある。そのため、特定の規格をサポートしていない情報機器でもその規格のカードの使用を可能とすべく、カードアダプター類が使用されている。このうち、外形がカード型を呈しており、情報機器のカードスロットにそのまま装着可能に形成されたカードタイプのカードアダプターも普及するに至っている。例えば、ＣＦカードスロットを備えるとともに外形がＰＣカード規格になされており、ＣＦカードをＰＣカードのスロットに装着可能としたＰＣカード型のアダプター（特許文献１参照）などである。（例えば、特許文献１参照。）【０００４】
【特許文献１】  特開２００２−３５２２１２号
【発明が解決しようとする課題】
【０００５】  しかし、そのようなカードアダプターにおいては、装着された機能拡張電子装置をホスト側とデータ通信可能とする機能のみを有しており、独自にホスト側に機能を付加するファンクションモジュールは有していなかった。そのため、異なるファンクションの機能拡張電子装置を付加する場合には、毎回機能拡張電子装置を差換える必要があり、使い勝手が悪いものであった。
【０００６】  そこで、本発明は、あらかじめ本体内に独自にホスト側に機能を付加する固定されたファンクションモジュールと、所定のカード規格に基づく機能拡張カードを装着可能なカードスロットとを有することにより、複数の機能をホスト側に付加するマルチファンクションとすることができるとともに、一側が固定で他側が差換え可能であるため、きわめて利便性の高い機能拡張電子装置を提供することを目的とする。
【課題を解決するための手段及び発明の効果】
【０００７】  本発明は、前記問題点を解決するために創作されたものであって、第１には、所定のインターフェース規格に基づいて情報機器類に所定の機能を付加する機能拡張電子装置であって、情報機器類に所定の機能を付加すべく本体に内蔵して構成された少なくとも一つのファンクションモジュールと、所定のカード規格に基づく外部の機能拡張カードを装着可能なカードスロットと、前記カードスロットに装着された機能拡張カードを制御するカード制御手段と、前記ファンクションモジュール及び前記カードスロットに装着された機能拡張カードを、統括的に監視、制御するファンクションコントローラーと、所定のデータ転送方式のシステムインターフェースに基づいて前記情報機器類とのデータ通信を制御するインターフェースコントローラーとを有することを特徴とする。
【０００８】  この第１の構成の機能拡張電子装置においては、所定のインターフェース規格に基づいて情報機器類に所定の機能を付加する機能拡張電子装置であって、情報機器類に所定の機能を付加すべく本体に内蔵して構成された少なくとも一つのファンクションモジュールと、所定のカード規格に基づく外部の機能拡張カードを装着可能なカードスロットと、前記カードスロットに装着された機能拡張カードを制御するカード制御手段と、前記ファンクションモジュール及び前記カードスロットに装着された機能拡張カードを、統括的に監視、制御するファンクションコントローラーと、所定のデータ転送方式のシステムインターフェースに基づいて前記情報機器類とのデータ通信を制御するインターフェースコントローラーとを有しているため、あらかじめ本体内に固定されたファンクションモジュールと、外部のファンクションモジュールである機能拡張カードによる複数の機能をホスト側に付加するマルチファンクションとすることができるとともに、一側が内蔵により固定されたファンクションであるため常時その機能を付加することができ、また他側が差換え可能な機能拡張カードであるため、差換えることにより多様な機能を付加することができ、利便性を大幅に高めることができる。
【０００９】  また、第２には、前記第１の構成の機能拡張電子装置において、前記カードスロットに装着された機能拡張カードのファンクション種別を検出するカード種別検出手段を有しており、該カード検出手段による検出結果に基づいて制御機能を切替えることにより、前記カードスロットに複数の異なるファンクションの機能拡張カードの装着を可能になしたことを特徴とする。
【００１０】  この第２の構成の機能拡張電子装置においては、前記カードスロットに装着された機能拡張カードのファンクション種別を検出するカード種別検出手段を有しており、該カード検出手段による検出結果に基づいて制御機能を切替えることにより、前記カードスロットに複数の異なるファンクションの機能拡張カードの装着を可能になしているため、前記カード種別検出手段による検出結果に基づいて制御機能を切替えることにより、一つの前記カードスロットに複数の異なるファンクション種別の機能拡張カードの装着が可能になる。
【００１１】  また、第３には、前記第１又は２の構成の機能拡張電子装置において、外形形状がＰＣＭＣＩＡカード規格に準拠して形成されており、ＰＣＭＣＩＡカードスロットに装着可能であることを特徴とする。よって、接続ケーブル等が不要になり、携帯端末での使用に好適なものとなる。
【００１２】  また、第４には、前記第１又は２の構成の機能拡張電子装置において、外形形状がＣＦカード規格に準拠して形成されており、ＣＦカードスロットに装着可能であることを特徴とする。よって、接続ケーブル等が不要になり、携帯端末での使用に好適なものとなる。
【００１３】  また、第５には、前記第１又は２又は３又は４の構成の機能拡張電子装置において、前記機能拡張カードのカード規格が、ＳＤ又はＳＤＩ／Ｏカード規格、ＣＦ又はＣＦＩ／Ｏカード規格、メモリスティック又はメモリスティックＩ／Ｏカード規格のうち何れかであることを特徴とする。
【００１４】  また、第６には、前記第１又は２又は３又は４又は５の構成の機能拡張電子装置において、前記ファンクションモジュールが、無線ＬＡＮモジュール、ＧＰＳモジュール、ＰＨＳモジュール、Ｂｌｕｅｔｏｏｔｈモジュール、カメラモジュール、メモリーモジュールの何れかであることを特徴とする。
【００１５】  また、第７には、前記第３又は４又は５又は６の構成の機能拡張電子装置において、外形形状がＰＣＭＣＩＡカード規格又はＣＦカード規格に準拠して形成されるとともに前記ファンクションモジュールが通信機能である場合に、前記カードスロットへの機能拡張カードの装着時において、前記通信機能のアンテナモジュールの突出部分と前記機能拡張カードの突出部分が、本機能拡張電子装置の一面部から同一方向へ並行に突出するようになしたことを特徴とする。
【００１６】  この第７の構成の機能拡張電子装置においては、前記ファンクションモジュールが通信機能である場合に、前記カードスロットへの機能拡張カードの装着時において、前記通信機能のアンテナモジュールの突出部分と前記機能拡張カードの突出部分が、本機能拡張電子装置の一面部から同一方向へ並行に突出するようになされているため、前記カードスロットへの機能拡張カードの装着時、及び本機能拡張電子装置のＰＣＭＣＩＡカードスロット又はＣＦカードスロットへの装着時に支障なく、スムーズに装着することができるとともに、前記通信機能のアンテナモジュールの突出部分と前記機能拡張カードの突出部分が干渉することなく狭い空間内で好適に配設することができ、スペース効率を向上させることができる。
【００１７】  また、第８には、前記第１又は２又は３又は４又は５又は６又は７の構成の機能拡張電子装置において、前記機能拡張カードが、無線ＬＡＮカード、ＧＰＳカード、ＰＨＳカード、Ｂｌｕｅｔｏｏｔｈカード、カメラカード、メモリーカードの何れかであることを特徴とする。
【００１８】  また、第９には、前記第１又は２又は３又は４又は５又は６又は７又は８の構成の機能拡張電子装置において、前記ファンクションモジュールと前記機能拡張カードの信号が、シリアルパケットに変換して処理されることを特徴とする。
【００１９】  また、第１０には、前記第９の構成の機能拡張電子装置において、前記シリアルパケットが、シリアルＡＴＡＰＩ規格、ＵＳＢ規格、及びＩＥＥＥ１３９４規格のうち何れかの規格に準拠することを特徴とする。
【００２０】  この第９又は１０の構成の機能拡張電子装置においては、前記ファンクションモジュールと前記機能拡張カードの信号をシリアルパケットに変換して制御するため、信号線を減らすことができ信号の干渉なども防止し得るとともに、マッピングされた空間を読み書きするバスアーキテクチャーとなるためマルチファンクション機能を効率よく容易に構成することが可能になる。
【発明を実施するための最良の形態】
【００２１】  以下、本発明が適用された実施例について図面を用いて説明する。尚、本発明の実施の形態は、下記の実施例に何ら限定されることはなく、本発明の技術的範囲に属する限り種々の形態を採りうる。
【第１実施例】
【００２２】  本発明の第１実施例に基づく機能拡張電子装置は、後述するように、情報機器類に所定の機能を付加すべく本体に内蔵して構成されたファンクションモジュールとしてワイヤレスＬＡＮモジュールが搭載されるとともに、ＳＤ又はＳＤＩ／Ｏカード規格に基づく外部の機能拡張カードを装着可能なカードスロットを有したワイヤレスＬＡＮ内蔵のＳＤＩＯ−ＰＣカードアダプタ（以下ＰＣカード１と称する。）である。
また、前記ＰＣカード１は、図１に示すように、外形形状がＰＣＭＣＩＡカード規格に準拠して形成されており、図２（イ）、（ロ）に示すように、ノートパソコン２００などの情報機器のＰＣＭＣＩＡカードスロットに装着可能になされている。
【００２３】  また、前記ＰＣカード１は、図１に示すように、ワイヤレスＬＡＮモジュール１０、ＵＳＢインターフェースコントローラー２０、ＵＳＢ２．０ホストコントローラー３０、ＰＣＭＣＩＡインターフェースコントローラー４０、ＳＤＩ／Ｏカードスロット５０、ＳＤＩ／Ｏコネクタ６０、ＵＳＢ／ＳＤコントローラー７０、ＵＳＢインターフェースコントローラー８０を有している。
【００２４】  前記ワイヤレスＬＡＮモジュール１０は、本体内蔵の固定ファンクションモジュールであり、アンテナユニット１２、図示略のＲＦ回路、コントローラーなどから構成されており、無線ＬＡＮターミナルやホットスポットなどへの接続を可能とする機能を有している。そして、前記ＲＦ回路は、アンテナユニット１２にて受信されたＲＦ信号（無線周波数信号）に所定の処理を施して、ベースバンド信号からなる受信パケットを得る一方、ベースバンド信号からなる送信パケットに所定の処理を施してＲＦ信号を生成し、前記アンテナユニット１２へ供給する。また、前記コントローラーは、前記ＲＦ回路から供給されるベースバンド信号からなる受信パケットから受信データを抽出して前記ＵＳＢインターフェースコントローラー２０へ供給する一方、該ＵＳＢインターフェースコントローラー２０からの送信データをベースバンド信号からなる送信パケットに変換して前記ＲＦ回路へ供給する。
【００２５】  また、前記アンテナユニット１２は、図１に示すように、前記ＰＣカード１の上面部の左側に突出するように形成されている。そのため、図２（ロ）に示すように、ノートパソコン２００などの情報機器のＰＣＭＣＩＡカードスロットに前記ＰＣカード１が装着された場合に、情報機器から前記アンテナユニット１２が突出するため電波が遮られてしまうことが無く、良好に電波の送受信が可能となるようになされている。
【００２６】  また、図１に示すように、前記ＵＳＢインターフェースコントローラー２０は、前記ＵＳＢ２．０ホストコントローラー３０との通信を制御し、入ってくるパケットの検出、パケットの送信、パケットＩＤの生成や解読、ＵＳＢシリアルデータとパラレルデータの変換などを行う。
【００２７】  前記ＵＳＢ２．０ホストコントローラー３０は、ＵＳＢ２．０規格に準拠して、ＵＳＢシステム全体を統括的に監視、制御を行うとともに、ファンクションコントローラーとして機能する。
【００２８】  前記ＰＣＭＣＩＡインターフェースコントローラー４０は、前記ＵＳＢ２．０ホストコントローラー３０とホスト側の情報機器との通信を制御するとともに、ＵＳＢとＰＣＭＣＩＡとのブリッジ機能を有しており、ＵＳＢデータとＰＣＭＣＩＡデータ間の変換処理を行う。
【００２９】  また、前記ＳＤＩ／Ｏカードスロット５０は、図１に示すように、前記ＰＣカード１の上面部の右側に開口するように形成されている。そのため、前記ＳＤＩ／Ｏカードスロット５０への機能拡張カードであるＳＤ／ＳＤＩＯカード１００の装着時において、前記アンテナモジュール１２の突出部分と前記ＳＤ／ＳＤＩＯカード１００の突出部分が、前記ＰＣカード１の一面部から同一方向へ並行に突出することになる。
【００３０】  そのため、図３（イ）、（ロ）に示すように、前記ＳＤ／ＳＤＩＯカード１００の前記ＰＣカード１への装着時、及び前記ＰＣカード１のノートパソコン２００のＰＣＭＣＩＡカードスロットへの装着時に支障なく、スムーズに装着することができるとともに、前記アンテナモジュール１２の突出部分と前記ＳＤ／ＳＤＩＯカード１００の突出部分が干渉することなく狭い空間内で好適に配設することができ、スペース効率を向上させることができる。
【００３１】  また、前記ＳＤＩ／Ｏコネクタ６０は、図１に示すように、前記ＳＤＩ／Ｏカードスロット５０に装着されたＳＤ／ＳＤＩＯカード１００との通信を制御するとともに、ＳＤ及びＳＤＩ／ＯプロトコルとＵＳＢプロトコルとのブリッジ機能を有しており、ＳＤ及びＳＤＩ／ＯデータとＵＳＢデータ間の変換処理を行う。
【００３２】  前記ＵＳＢ／ＳＤコントローラー７０は、前記ＳＤＩ／Ｏカードスロット５０に装着されたＳＤ／ＳＤＩＯカード１００を統括的に制御し、図４に示すように、論理機能ブロックとして、カード検出切替部７２、メモリーカードリードライト制御部７４、Ｉ／Ｏカード制御部７６、ＵＳＢコントロール部７８を有している。
【００３３】  前記カード検出切替部７２は、ＳＤＩ／Ｏカードスロット５０に装着されたＳＤ／ＳＤＩＯカード１００のファンクションの種別を検出し、その検出結果に基づいて付加する制御部を前記メモリーカードリードライト制御部７４と前記Ｉ／Ｏカード制御部７６とのいずれかに切替える。
【００３４】  前記メモリーカードリードライト制御部７４は、ＳＤ／ＳＤＩＯカード１００がＳＤメモリーカードである場合に、ＳＤメモリーカードを制御する制御情報を有しており、ホストであるノートパソコン２００からの指令に基づいてＳＤメモリーカードを制御するファンクションコントローラーとして機能し、適宜該ＳＤメモリーカードに対するデータの読み出し、書き込み、消去を実行する。また、前記Ｉ／Ｏカード制御部７６は、ＳＤ／ＳＤＩＯカード１００がＳＤＩ／Ｏカードである場合にＳＤＩ／Ｏカードを制御する制御情報を有しており、ホストであるノートパソコン２００からの指令に基づいてＳＤ／ＳＤＩＯカード１００を制御するファンクションコントローラーとして機能し、図１の例に示すように該ＳＤ／ＳＤＩＯカード１００がＳＤＩＯ−ＰＨＳカードである場合には、該ＳＤ／ＳＤＩＯカード１００に対してＰＨＳ方式による通信を行わせ、無線通信モデムとして機能させる。
【００３５】  前記ＵＳＢコントロール部７８は、送られたデータ及び送るデータを記憶するバッファを有しており、前記ＵＳＢ２．０ホストコントローラー３０との通信上必要な処理の多くを自動的に行うとともに、ＵＳＢ２．０ホストコントローラー３０からのリクエストに応答する。その他、エラー処理や電力管理などを行う。
【００３６】  前記ＵＳＢインターフェースコントローラー８０は、前記ＵＳＢ２．０ホストコントローラー３０との通信を制御し、入ってくるパケットの検出、パケットの送信、パケットＩＤの生成や解読などを行う。
【００３７】  次に、本第１実施例によるＰＣカード１の作動及び使用状態を説明する。ノートパソコン２００のＰＣカードスロットに、図２（ロ）に示すように、ＰＣカード１が装着されると、前記ＵＳＢ２．０ホストコントローラー３０は、前記ワイヤレスＬＡＮモジュール１０の各ディスクリプタを取得し、アドレスのアサイン、コンフイグレーション、パイプの初期化などが行われて、エニュメレーション処理される。
【００３８】  これにより、前記ＵＳＢ２．０ホストコントローラー３０と前記ワイヤレスＬＡＮモジュール１０とのＵＳＢパケット通信が可能となり、ノートパソコン２００からの指令に基づいて前記ワイヤレスＬＡＮモジュール１０が駆動され、図５に示すように、ＩＥＥＥ８０２．１１ｂプロトコルに基づいて、無線ＬＡＮターミナル２１０或いはホットスポットとのデータ通信が行われ、該無線ＬＡＮターミナル２１０或いはホットスポットを介してインターネット網に接続される。
【００３９】  次に、前記ＳＤＩ／Ｏカードスロット５０に、ＳＤＩＯ−ＰＨＳカードであるＳＤ／ＳＤＩＯカード１００が装着された場合について説明すると、前記ＳＤＩ／Ｏカードスロット５０にＳＤ／ＳＤＩＯカード１００が挿入されて装着されると、前記カード検出切替部７２がＳＤ／ＳＤＩＯカード１００のＣＩＳ情報を入手し、該ＣＩＳ情報に基づいてＳＤ／ＳＤＩＯカード１００の種別を検出する。
【００４０】  そして、検出したＳＤ／ＳＤＩＯカード１００の種別がＳＤメモリーカードであれば、前記カードリードライト制御部７４によるデバイス制御に切替える。そのため、ＳＤメモリーカードであるＳＤ／ＳＤＩＯカード１００への読み出し、書き込み、或いは消去の実行が可能となる。
【００４１】  また、検出したＳＤ／ＳＤＩＯカード１００の種別がＳＤＩ／Ｏカードであるれば、前記Ｉ／Ｏカード制御部７６によるデバイス制御に切替える。そのため、図１に示すように、前記ＳＤ／ＳＤＩＯカード１００がＳＤＩＯ−ＰＨＳカードである場合には、図５に示すように、該ＳＤ／ＳＤＩＯカード１００によるＰＨＳ方式の通信が可能になり、アクセスポイント２２０へ接続することにより無線通信モデム機能を得ることができる。
【００４２】  なお、前記ワイヤレスＬＡＮモジュール１０による無線ＬＡＮ機能と、ＳＤ／ＳＤＩＯカード１００によるＰＨＳ通信機能は、同時に駆動させることも可能である。この場合、何れか電波状態の良い方を自動的に選択して切替えるようにしてもよい。なお、検出したＳＤ／ＳＤＩＯカード１００の種別がＳＤメモリーカードでもＳＤＩ／Ｏカードでない場合には、エラー処理される。
【００４３】  以上述べたように、本第１実施例に基づくＰＣカード１によれば、本体内に固定されたファンクションモジュールとしてのワイヤレスＬＡＮモジュール１０と、外部のファンクションモジュールであるＳＤＩ／Ｏカードスロット５０に装着されたＳＤ／ＳＯＩＯカード１００とにより、複数の機能をホスト側に付加するマルチファンクションとすることができるとともに、ワイヤレスＬＡＮモジュール１０側が内蔵により固定されたファンクションであるため常時その機能を付加することができ、またＳＤ／ＳＤＩＯカード１００側が差換え可能な機能拡張カードであるため、差換えることにより多様な機能を付加することができ、利便性を大幅に高めることができる。
【００４４】  また、前記ＰＣカード１は、上述したように、前記ＳＤＩ／Ｏカードスロット５０に装着されたＳＤ／ＳＤＩＯカード１００のファンクション種別を検出するカード検出切替部７２を有しているため、該カード検出切替部７２による検出結果に基づいてメモリーカードリード／ライト制御部７４とＩ／Ｏカード制御部７６とを切替えることにより、前記ＳＤＩ／Ｏカードスロット５０に異なるファンクションであるＳＤメモリーカードとＳＤＩ／Ｏカードの装着が可能になる。
【００４５】  また、前記ＰＣカード１は、外形形状がＰＣＭＣＩＡカード規格に準拠して形成されており、ＰＣＭＣＩＡカードスロットに装着可能であるため、一般的なＵＳＢ接続のカードアダプタのようにＵＳＢケーブルなどの接続ケーブル等が不要になり、モバイル機器、携帯端末での使用に好適なものとなる。
【００４６】  また、前記ワイヤレスＬＡＮモジュール１０とＳＤＩ／Ｏカードスロット５０に装着されたＳＤ／ＳＤＩＯカード１００の信号をＵＳＢシリアルパケットに変換してＵＳＢプロトコルに基づいて制御するため、パラレルの場合よりも信号線を減らすことができ信号の干渉なども防止し得るとともに、マッピングされた空間を読み書きするＵＳＢバスアーキテクチャーとなるためマルチファンクション機能を効率よく容易に構成することが可能になる。そのため、本第１実施例によるＰＣカード１のように、ワイヤレスＬＡＮモジュール１０とＳＤ／ＳＤＩＯカード１００とによる複数の機能をホスト側に付加するマルチファンクションの場合においても、好適に統括的な制御を行うことが可能となる。なお、本第１実施例によるＰＣカード１においてはＵＳＢ２．０プロトコルによって統括的に制御を行っているが、それのみに限定されるものではなく前記シリアルパケットがシリアルＡＴＡＰＩ規格、或いはＩＥＥＥ１３９４規格に準拠したものであってもよい。
【００４７】  また、本発明は、上記第１実施例のみに限定されるものではなく、多様な態様が可能である。例えば、図６に示すように、前記第１実施例においては搭載されるファンクションモジュールが無線ＬＡＮモジュール１０であったＰＣカード１に対して、搭載されるファンクションモジュールをアンテナモジュールＰ１２が突出したＰＨＳモジュールＰ１０であるＰＣカードＰ１としてもよい。
【００４８】  また、図７に示すように、搭載されるファンクションモジュールをアンテナモジュールＣ１２が突出したＢｌｕｅｔｏｏｔｈモジュールＣ１０とするとともに、外形形状をＣＦカード規格（ＴＹＰＥＩ、ＴＹＰＥＩＩ）に準拠して形成し、ＣＦカードスロットに装着可能なＣＦカードＣ１としてもよい。なお、この場合には、前記実施例におけるＰＣＭＣＩＡインターフェースコントローラー４０に換えてＣＦインターフェースコントローラーＣ４０として、前記ＵＳＢ２．０ホストコントローラー３０とホスト側の情報機器との通信を制御するとともに、ＵＳＢとＣＦとのブリッジ機能を有し、ＵＳＢデータとＣＦデータ間の変換処理を行うようにする。その他、前記ＣＦカードＣ１に本体に内蔵して固定されるファンクションモジュールとしては、カメラモジュールやＧＰＳモジュール、メモリーモジュールなど、多様な態様が想定できる。
【００４９】  以上のように、ＳＤＩ／Ｏカードスロット５０に装着される機能拡張カードとしては、図６に示すようにＳＤメモリーカードＭ１００を装着したり、図７に示すようにＧＰＳカードＧ１００を装着するようにしてもよい。その他、本体に内蔵して固定されるファンクションモジュールとしては、カメラカードや無線ＬＡＮカード、Ｂｌｕｅｔｏｏｔｈカードなど、多様な態様が想定できる。
【００５０】  以上述べたように、ＰＣカードＰ１及びＣＦカードＣ１のように構成しても、上記実施例と同様に、本体に内蔵して固定されるファンクションモジュールとしてのＰＨＳモジュールＰ１０又はＢｌｕｅｔｏｏｔｈモジュールＣ１０と、外部のファンクションモジュールであるＳＤＩ／Ｏカードスロット５０に装着されたＳＤメモリーカードＭ１００又はＧＰＳカードＧ１００とにより、複数の機能をホスト側に付加するマルチファンクションとすることができるとともに、ＰＨＳモジュールＰ１０又はＢｌｕｅｔｏｏｔｈモジュールＣ１０側が内蔵により固定されたファンクションであるため常時その機能をホスト側に付加することができ、またＳＤカード側が差換え可能な機能拡張カードであるため、差換えることにより多様な機能をホスト側に付加することができ、機能拡張電子装置としての利便性を大幅に高めることができる。
【００５１】  また、前記第１実施例におけるＰＣカード１は、外形形状がＰＣＭＣＩＡカード規格に準拠してＰＣＭＣＩＡカードスロットに装着可能なものとしており、また、上述した図７に示すＣＦカードＣ１の場合には外形形状をＣＦカード規格に準拠したものとしているが、それのみに限定されるものではなく、それ以外のカード規格、或いは今後開発される新たなカード規格であってもよい。また、所定のカード規格に基づく機能拡張カードを装着可能なカードスロットしても、前記第１実施例ではＳＤＩ／Ｏカードスロット５０としているが、それのみに限定されるものではなく、それ以外のカード規格、或いは今後開発される新たなカード規格であってもよい。
【第２実施例】
【００５２】  本発明の第２実施例に基づく機能拡張電子装置は、後述するように、情報機器類に所定の機能を付加すべく本体に内蔵して構成されたファンクションモジュールとしてワイヤレスＬＡＮモジュールが搭載されるとともに、ＳＤメモリカード規格、ＳＤＩ／Ｏカード規格、メモリスティックメモリカード規格、メモリスティックＩ／Ｏカード規格に基づく外部の機能拡張カードを装着可能なカードスロットを有したワイヤレスＬＡＮ内蔵のＳＤ／メモリスティックＩＯ−カードバスＰＣカードアダプタ（以下カードバスＰＣカード３０１と称する。）である。
【００５３】  また、前記カードバスＰＣカード３０１は、図８に示すように、外形形状がＰＣＭＣＩＡカード規格の一部であるカードバスＰＣ（ＰＣ  Ｃａｒｄ  Ｓｔａｎｄａｒｄ  ＴＹＰＥ２  ＣａｒｄＢｕｓ  ＰＣ  Ｃａｒｄ）カード規格に準拠して形成されており、ノートパソコンなどの情報機器のカードバスＰＣカードスロットに装着可能になされている。
【００５４】  また、前記カードバスＰＣカード３０１は、図８に示すように、ワイヤレスＬＡＮモジュール３１０、カードバスインターフェースコントローラー３２０、ファンクションコントローラー３３０、カードバスインターフェース３４０、ＳＤ／メモリスティックデュアルカードスロット３５０、ＳＤ／メモリスティック−ＰＣＭＣＩＡブリッジコントローラー３６０、ＰＣＭＣＩＡインターフェースコントローラー３７０、バススイッチ３８０を有している。
【００５５】  前記ワイヤレスＬＡＮモジュール３１０は、本体内蔵の固定ファンクションモジュールであり、一対のアンテナユニット３１２、図示略のＲＦ回路、コントローラーなどから構成されており、ＩＥＥＥ８０２．１１ａ／１１ｂ／１１ｇに準拠して、無線ＬＡＮターミナルやホットスポットなどへの接続を可能とする機能を有している。そして、前記ＲＦ回路は、一対のアンテナユニット３１２にて受信されたＲＦ信号（無線周波数信号）に所定の処理を施して、ベースバンド信号からなる受信パケットを得る一方、ベースバンド信号からなる送信パケットに所定の処理を施してＲＦ信号を生成し、前記アンテナユニット３１２へ供給する。
【００５６】  また、ワイヤレスＬＡＮモジュール３１０の前記コントローラーは、前記ＲＦ回路から供給されるベースバンド信号からなる受信パケットから受信データを抽出して前記カードバスインターフェースコントローラー３２０へ供給する。また、該カードバスインターフェースコントローラー３２０からの送信データをベースバンド信号からなる送信パケットに変換して前記ＲＦ回路へ供給する。
【００５７】  また、前記アンテナユニット３１２は、図８に示すように、前記カードバスＰＣカード３０１の上面部の左右に分かれて突出するように形成されている。そのため、ノートパソコンなどの情報機器のカードバススロットに前記カードバスＰＣカード３０１が装着された場合に、情報機器から前記アンテナユニット３１２が突出するため電波が遮られてしまうことが無く、良好に電波の送受信が可能となるようになされている。
【００５８】  また、カードバスインターフェースコントローラー３２０は、前記ファンクションコントローラー３３０との通信を制御し、カードバスＰＣ規格に準拠して３２ビット単位でのデータの送受信を行うことができる。そして、入ってくるパケットの検出、パケットの送信、パケットＩＤの生成や解読、シリアルデータとパラレルデータの変換などを行う。
【００５９】  また、前記ＳＤ／メモリスティックデュアルカードスロット３５０は、図示略の特殊な可動型の接点端子構造になされており、該接点端子がスライド移動することによって、端子構造やサイズの異なるＳＤ／ＳＤＩＯカード規格に準拠したＳＤ／ＳＤＩＯカード１００と、メモリスティック／メモリスティックＩＯカード規格に準拠したメモリスティック／メモリスティックＩＯカード５００とを、一つのスロットによって装着することが可能になされている。
【００６０】  また、前記ＳＤ／メモリスティックデュアルカードスロット３５０は、図８に示すように、前記カードバスＰＣカード３０１の上面部の中央部に開口するように形成されている。そのため、前記ＳＤ／メモリスティックデュアルカードスロット３５０への機能拡張カードであるＳＤ／ＳＤＩＯカード１００、又はメモリスティック／メモリスティックＩＯカード５００の装着時において、前記アンテナモジュール３１２の突出部分と前記ＳＤ／ＳＤＩＯカード１００、又はメモリスティック／メモリスティックＩＯカード５００の突出部分が、前記カードバスＰＣカード３０１の一面部から同一方向へ並行に突出することになる。
【００６１】  そのため、前記ＳＤ／ＳＤＩＯカード１００、又はメモリスティック／メモリスティックＩＯカード５００の前記カードバスＰＣカード３０１への装着時、及び前記カードバスＰＣカード３０１のノートパソコンのＰＣＭＣＩＡカードスロットへの装着時に支障なく、スムーズに装着することができるとともに、前記アンテナモジュール３１２の突出部分と前記ＳＤ／ＳＤＩＯカード１００、又はメモリスティック／メモリスティックＩＯカード５００の突出部分が干渉することなく狭い空間内で好適に配設することができ、スペース効率を向上させることができる。
【００６２】  また、前記ＳＤ／メモリスティック−ＰＣＭＣＩＡブリッジコントローラー３６０は、図８に示すように、前記ＳＤ／メモリスティックデュアルカードスロット３５０に装着されたＳＤ／ＳＤＩＯカード１００、或いはメモリスティック／メモリスティックＩＯカード５００との通信を制御するとともに、ＳＤ、ＳＤＩ／Ｏプロトコル及びメモリスティック、メモリスティックＩ／ＯプロトコルとＰＣＭＣＩＡプロトコルとのブリッジ機能を有しており、ＳＤ、ＳＤＩ／Ｏデータ及びメモリスティック、メモリスティックＩ／ＯとＰＣＭＣＩＡデータ間の変換処理を行う。
【００６３】  前記ＰＣＭＣＩＡインターフェースコントローラー３７０は、前記ファンクションコントローラー３３０との通信を制御し、ＰＣＭＣＩＡ規格に準拠して１６ビット単位でのデータの送受信を行うことができる。そして、入ってくるパケットの検出、パケットの送信、パケットｌＤの生成や解読、シリアルデータとパラレルデータの変換などを行う。
【００６４】  前記ファンクションコントローラー３３０は、ＳＤ／メモリスティックデュアルカードスロット３５０に装着されたＳＤ／ＳＤＩＯカード１００又はメモリスティック／メモリスティックＩＯカード５００を統括的に制御し、図示略の論理機能ブロックとして、ファンクション切替部、カード検出切替部、メモリーカードリードライト制御部、Ｉ／Ｏカード制御部などを有している。
【００６５】  前記ファンクション切替部は、前記バススイッチ３８０のモード切替状態に基づいて、ワイヤレスＬＡＮモジュール１０に無線ＬＡＮ機能モードと、ＳＤ／メモリスティックデュアルカードスロット３５０に装着されたＳＤ／ＳＤＩＯカード１００、或いはメモリスティック／メモリスティックＩＯカード５００を情報機器側へ機能付加するアダプタ機能モードとを切り替える機能を有している。具体的には、情報機器接続時において、前記バススイッチ３８０がＷＬＡＮ側（図８に示す状態）となっていればワイヤレスＬＡＮモジュール１０による無線ＬＡＮ機能モードと、ＳＤ／ＭＳＡｄａｐｔｅｒ側（図８に示す状態から下方にスライドさせた状態）となっていればＳＤ／メモリスティックデュアルカードスロット３５０に装着されたＳＤ／ＳＤＩＯカード１００、或いはメモリスティック／メモリスティックＩＯカード５００の機能を情報機器側へ機能付加するアダプタ機能モードとして本カードバスＰＣカード３０１を機能させる。
【００６６】  なお、前記バススイッチ３８０の切替は、本カードバスＰＣカード３０１を情報機器から外した状態で行い、前記バススイッチ３８０を切り替えた後、再度情報機器に接続することで前記ファンクション切替部による切り替えが有効となる。また、インストールの際は、あらかじめ各モードに切り替えた状態で、インストールを行う必要がある。
【００６７】  前記カード検出切替部は、ＳＤ／メモリスティックデュアルカードスロット３５０に装着されたＳＤ／ＳＤＩＯカード１００、メモリスティック／メモリスティックＩＯカード５００のＣＩＳ情報に基づいてファンクションの種別を検出し、その検出結果に基づいて付加する制御部を前記メモリーカードリードライト制御部と前記Ｉ／Ｏカード制御部とのいずれかに切替える。
【００６８】  前記メモリーカードリードライト制御部は、ＳＤ／ＳＤＩＯカード１００又はメモリスティック／メモリスティックＩＯカード５００がＳＤメモリーカード又はメモリスティックメモリカードである場合に、当該メモリーカードを制御する制御情報を有しており、ホストである情報機器からの指令に基づいてＳＤメモリーカード又はメモリスティックメモリカードを制御し、適宜該ＳＤメモリーカード又はメモリスティックメモリカードに対するデータの読み出し、書き込み、消去を実行する。
【００６９】  また、前記Ｉ／Ｏカード制御部は、ＳＤ／ＳＤＩＯカード１００又はメモリスティック／メモリスティックＩＯカード５００がＳＤＩ／Ｏカード又はメモリスティックＩＯカードである場合にＳＤＩ／Ｏカード又はメモリスティックＩＯカードを制御する制御情報を有しており、ホストである情報機器からの指令に基づいてＳＤ／ＳＤＩＯカード１００又はメモリスティック／メモリスティックＩＯカード５００を制御し、ＳＤ／ＳＤＩＯカード１００又はメモリスティック／メモリスティックＩＯカード５００がＳＤＩＯ−ＰＨＳカードである場合には、該ＳＤ／ＳＤＩＯカード１００又はメモリスティック／メモリスティックＩＯカード５００に対してＰＨＳ方式による通信を行わせ、無線通信モデムとして機能させる。
【００７０】  前記バススイッチ３８０は、手動によって切り替えるスライド式の摺動スイッチであり、ＷＬＡＮ側（図８に示す状態）とＳＤ／ＭＳＡｄａｐｔｅｒ側（図８に示す状態から下方にスライドさせた状態）とを使用者が手動によって切り替える機能を有している。そして、前記ファンクションコントローラー３３０と電気的に接続されて、上述したように、前記ファンクションコントローラー３３０へＷＬＡＮ側とＳＤ／ＭＳＡｄａｐｔｅｒ側の何れかの切替信号を入力する。
【００７１】  前記カードバスインターフェース３４０は、カードバスＰＣ規格に準拠して無線ＬＡＮ機能モードの場合は３２ビット幅で、アダプタ機能モードの場合は１６ビット幅で、本カードバスＰＣカード３０１とホスト側の情報機器との通信を制御する。
【００７２】  次に、本第２実施例によるカードバスＰＣカード３０１の作動及び使用状態を説明する。まず、使用者は、情報機器接続前に前記バススイッチ３８０を切り替えることにより、によりワイヤレスＬＡＮモジュール１０による無線ＬＡＮ機能モードと、ＳＤ／メモリスティックデュアルカードスロット３５０に装着されたＳＤ／ＳＤＩＯカード１００、或いはメモリスティック／メモリスティックＩＯカード５００の機能を情報機器側へ機能付加するアダプタ機能モードとを選択する。
【００７３】  そして、その状態で情報機器側のカードバスＰＣカードスロットに、カードバスＰＣカード３０１が装着されると、前記ファンクションコントローラー３３０の前記ファンクション切替部によって、前記バススイッチ３８０のモード切替状態に基づいて、ワイヤレスＬＡＮモジュール１０に無線ＬＡＮ機能モードと、ＳＤ／メモリスティックデュアルカードスロット３５０に装着されたＳＤ／ＳＤＩＯカード１００、或いはメモリスティック／メモリスティックＩＯカード５００を情報機器側へ機能付加するアダプタ機能モードとを切り替える。
【００７４】  そして、無線ＬＡＮ機能モードが選択されている場合は、情報機器からの指令に基づいて前記ワイヤレスＬＡＮモジュール３１０が駆動され、ＩＥＥＥ８０２．１１ａ／ｂ／ｇプロトコルに基づいて、無線ＬＡＮターミナル或いはホットスポットとのデータ通信が可能になるとともに、該無線ＬＡＮターミナル或いはホットスポットを介してインターネット網への接続が可能になる。
【００７５】  また、アダプタ機能モードが選択されている場合は、ＳＤ／メモリスティックデュアルカードスロット３５０に装着されたＳＤ／ＳＤＩＯカード１００又はメモリスティック／メモリスティックＩＯカード５００から、前記ファンクションコントローラー３３０の前記カード検出切替部がＣＩＳ情報を入手し、該ＣＩＳ情報に基づいてＳＤ／ＳＤＩＯカード１００又はメモリスティック／メモリスティックＩＯカード５００の種別を検出する。
【００７６】  そして、検出したＳＤ／ＳＤＩＯカード１００又はメモリスティック／メモリスティック１０カード５００の種別がメモリーカードであれば、前記カードリードライト制御部によるデバイス制御に切替える。そのため、メモリーカードであるＳＤ／ＳＤＩＯカード１００又はメモリスティック／メモリスティックＩＯカード５００への読み出し、書き込み、或いは消去の実行が可能となる。
【００７７】  また、検出したＳＤ／ＳＤＩＯカード１００又はメモリスティック／メモリスティックＩＯカード５００の種別がＩ／Ｏカードであるれば、前記Ｉ／Ｏカード制御部によるデバイス制御に切替える。そのため、ＳＤ／ＳＤＩＯカード１００又はメモリスティック／メモリスティックＩＯカード５００がＰＨＳカードである場合には、情報機器側でＰＨＳ方式の通信が可能になり、アクセスポイントへ接続することにより無線通信モデム機能を得ることができる。
【００７８】  以上述べたように、本第２実施例に基づくカードバスＰＣカード３０１によれば、本体内に固定されたファンクションモジュールとしてのワイヤレスＬＡＮモジュール３１０と、外部のファンクションモジュールであるＳＤ／メモリスティックデュアルカードスロット３５０に装着されたＳＤ／ＳＤＩＯカード１００、メモリスティック／メモリスティックＩＯカード５００とにより、複数の機能をホスト側に付加するマルチファンクションとすることができるとともに、ワイヤレスＬＡＮモジュール３１０側が内蔵により固定されたファンクションであるため常時その機能を付加することができ、またＳＤ／ＳＤＩＯカード１００、メモリスティック／メモリスティックＩＯカード５００側が差換え可能な機能拡張カードであるため、差換えることにより多様な機能を付加することができ、利便性を大幅に高めることができる。
【００７９】  また、前記カードバスＰＣカード３０１は、上述したように、前記ＳＤ／メモリスティックデュアルカードスロット３５０に装着されたＳＤ／ＳＤＩＯカード１００、メモリスティック／メモリスティックＩＯカード５００のファンクション種別を検出するカード検出切替部を有しているため、該カード検出切替部による検出結果に基づいてメモリーカードリード／ライト制御部とＩ／Ｏカード制御部とを切替えることにより、前記ＳＤ／メモリスティックデュアルカードスロット３５０に異なるファンクションであるＳＤメモリーカードとＳＤＩ／Ｏカード、及びメモリスティックメモリーカードとメモリスティックＩ／Ｏカードの装着が可能になる。
【００８０】  また、前記カードバスＰＣカード３０１は、外形形状がＰＣＭＣＩＡカード規格の一部であるカードバスＰＣ規格に準拠して形成されており、情報機器側のカードバスＰＣカードスロットに装着可能であるため、一般的なＵＳＢ接続のカードアダプタのようにＵＳＢケーブルなどの接続ケーブル等が不要になり、モバイル機器、携帯端末での使用に好適なものとなる。
【００８１】  また、本発明は、上記第２実施例のみに限定されるものではなく、多様な態様が可能である。例えば、前記第２実施例においては搭載されるファンクションモジュールが無線ＬＡＮモジュール３１０であったが、搭載されるファンクションモジュールをＰＨＳモジュール、Ｂｌｕｅｔｏｏｔｈモジュール、カメラモジュール、ＧＰＳモジュール、メモリーモジュールなど、多様な態様が想定できる。また外形形状をＣＦカード規格（ＴＹＰＥＩ、ＴＹＰＥＩＩ）に準拠して形成し、ＣＦカードスロットに装着可能なＣＦカードとしてもよい。
【００８２】  また、ＳＤ／メモリスティックデュアルカードスロット３５０に装着される機能拡張カードとしては、ＳＤカード規格又はメモリスティックカード規格に準拠したメモリーカード、ＧＰＳカード、カメラカード、無線ＬＡＮカード、Ｂｌｕｅｔｏｏｔｈカードなど、多様な態様が想定できる。
【００８３】  また、前記第２実施例におけるカードバスＰＣカード３０１は、外形形状がカードバスＰＣカード規格に準拠してカードバスＰＣカードスロットに装着可能なものとしているが、それのみに限定されるものではなく、外形形状がＣＦカード規格に準拠したものなど、それ以外のカード規格、或いは今後開発される新たなカード規格であってもよい。また、所定のカード規格に基づく機能拡張カードを装着可能なカードスロットしても、前記実施例ではＳＤ／ＳＤＩＯカード規格に準拠したＳＤ／ＳＤＩＯカード１００と、メモリスティック／メモリスティックＩＯカード規格に準拠したメモリスティック／メモリスティックＩＯカード５００とを、一つのスロットによって装着することが可能なＳＤ／メモリスティックデュアルカードスロット３５０としているが、それのみに限定されるものではなく、ＣＦカード規格やそれ以外のカード規格、或いは今後開発される新たなカード規格であってもよい。
【図面の簡単な説明】
【００８４】
【図１】  本発明の第１実施例に基づくＰＣカードの構成を示す構成図である。
【図２】  （イ）ＰＣカードのノートパソコンへの接続前の状態を示す説明図である。（ロ）ＰＣカードのノートパソコンへの接続状態を示す説明図である。
【図３】  （イ）ＰＣカードのノートパソコンへの接続前の状態を示す説明図である。（ロ）ＰＣカードのノートパソコンへの接続状態を示す説明図である。
【図４】  本第１実施例のＵＳＢ／ＳＤコントローラーの機能ブロックを示すブロック図である。
【図５】  本第１実施例のＰＣカード及びＳＤ／ＳＤＩＯカードの使用状態を示す説明図である。
【図６】  ファンクションモジュールがＰＨＳモジュールである他の実施態様を示す構成図である。
【図７】  ファンクションモジュールがＢｌｕｅｔｏｏｔｈモジュールであり外形がＣＦ規格である他の実施態様を示す構成図である。
【図８】  本発明の第２実施例に基づくカードバスＰＣカードの構成を示す構成図である。
【符号の説明】
【００８５】１、３０１、Ｃ１、Ｐ１  機能拡張電子装置
１０、３１０、Ｃ１０、Ｐ１０  ファンクションモジュール
１２、３１２、Ｃ１２、Ｐ１２  アンテナモジュール
３０、３３０  ファンクションコントローラー
４０、３２０、３７０、Ｃ４０  インターフェースコントローラー
５０、３５０  カードスロット
７４、７６、３６０  カード制御手段
１００、５００  Ｍ１００  Ｇ１００  機能拡張カード
７２、３３０  カード種別検出手段
【図１】
2004265377.tif 000003
【図２】
2004265377.tif 000004
【図３】
2004265377.tif 000005
【図４】
2004265377.tif 000006
【図５】
2004265377.tif 000007
【図６】
2004265377.tif 000008
【図７】
2004265377.tif 000009
【図８】
2004265377.tif 000010